(57)【特許請求の範囲】
【請求項１】
被取付部に取り付けられる器具本体と、
前記器具本体に取り付けられて電源部を収容し、前記被取付部側から下方に突出し、光を反射する反射面を備える、断面形状が山型状である反射板と、
前記反射板の下端部の下面に設けられる、光源を有する発光部と、
前記器具本体に着脱可能に取り付けられ、前記発光部および前記反射板を覆う透光性のカバーと、
前記カバーに、内側から取り付けられると共に、前記カバーの強度を補強する補強部材と、
を有し、
前記補強部材は、前記カバーの内面に沿って配設される第１の部分と、前記第１の部分の下端から折れ曲がって斜め下方に傾斜する第２の部分と、を備え、
前記第１の部分の一部は、視覚を遮断して、前記カバーを介して外側から、前記断面形状が山型状である前記反射板の側面を見ることができないようにする遮光部としても機能し、
前記第２の部分の外表面は前記反射面として機能し、前記カバーで反射されて上方に進行した光は、前記第２の部分における外表面の前記反射面で反射されて、前記カバーの外に導出される照明器具。
【請求項２】
請求項１に記載の照明器具において、
前記補強部材における前記第２の部分の外表面の前記反射面を、前記反射板の傾斜する前記反射面に連続するように設ける照明器具。
【請求項３】
請求項１または請求項２に記載の照明器具において、
前記補強部材における前記第１の部分の上端部に上方へ突出する突起を設け、
前記カバーの上端部を逆Ｕ字形状に形成して、前記補強部材における前記第１の部分の上側の部分を係止する係止部を設けるとともに、前記係止部の上端面に前記突起が嵌合する嵌合孔を設けた照明器具。
【発明の詳細な説明】
【技術分野】
【０００１】
本発明は、発光部および反射板を覆う透光性のカバーを器具本体に着脱可能に設けた照明器具に関するものである。
【背景技術】
【０００２】
従来より、器具本体にカバーを着脱可能に取り付ける照明器具が知られている（例えば、特許文献１参照）。
図４に示すように、特許文献１に記載の照明器具１００は、上面が開口した矩形箱状の下部本体１０２と、下面が開口した矩形箱状の上部本体１０３とで構成される器具本体１０１を有する。
【０００３】
下部本体１０２には、一対のランプソケット１０４が取り付けられており、蛍光ランプ（図示省略）が着脱可能に取り付けられる。また、下部本体１０２の下面は、反射板となっている。
器具本体１０１の側面には、カバー１０６を取り付けるための係止片部１０５が、外側に向かって突出して設けられている。カバー１０６は、合成樹脂により、上方に開口する略Ｕ字形状をしており、左右の上端部には長手方向に沿って内側に突出する掛け止め部１０７が設けられている。
【０００４】
従って、カバー１０６は、掛け止め部１０７を上方から器具本体１０１の係止片部１０５に引っ掛けることにより、取り外し可能に取り付けられる。
【先行技術文献】
【特許文献】
【０００５】
【特許文献１】特開平６−３３３４０８号公報（第１図）
【発明の概要】
【発明が解決しようとする課題】
【０００６】
しかしながら、前述した従来の照明器具１００においては、カバー１０６が透明の場合には、内部構造が外部から見えるため、意匠性が悪くなっていたという問題があった。
また、樹脂製の薄板状の掛け止め部１０７を器具本体１０１の係止片部１０５に掛けることによりカバー１０６を取り付けているので、カバー１０６の取付部の強度が不足していたという問題がある。
【０００７】
本発明は、従来の問題を解決するためになされたもので、透明のカバーを用いる場合でも、意匠性を改善できるとともに、カバーの取付部強度を確保できる照明器具を提供することを目的とする。
【課題を解決するための手段】
【０００８】
本発明の照明器具は、被取付部に取り付けられる器具本体と、器具本体に取り付けられて電源部を収容し、被取付部側から下方に突出し、光を反射する反射面を備える、断面形状が山型状である反射板と、反射板の下端部の下面に設けられる、光源を有する発光部と、器具本体に着脱可能に取り付けられ、発光部および反射板を覆う透光性のカバーと、カバーに、内側から取り付けられると共に、カバーの強度を補強する補強部材と、を有し、補強部材は、カバーの内面に沿って配設される第１の部分と、第１の部分の下端から折れ曲がって斜め下方に傾斜する第２の部分と、を備え、第１の部分の一部は、視覚を遮断して、カバーを介して外側から、断面形状が山型状である反射板の側面を見ることができないようにする遮光部としても機能し、第２の部分の外表面は反射面として機能し、カバーで反射されて上方に進行した光は、第２の部分における外表面の反射面で反射されて、カバーの外に導出されるものである。
【０００９】
また、本発明の照明器具は、補強部材における第２の部分の外表面の反射面を、反射板の傾斜する反射面に連続するように設けるものである。
【００１０】
さらに、本発明の照明器具は、補強部材における第１の部分の上端部に上方へ突出する突起を設け、カバーの上端部を逆Ｕ字形状に形成して、補強部材における第１の部分の上側の部分を係止する係止部を設けるとともに、係止部の上端面に突起が嵌合する嵌合孔を設けたものである。
【発明の効果】
【００１１】
本発明は、器具本体に取り付けられるカバーの内部に補強部材が取り付けられており、この補強部材は、カバーを保持する保持部を有するので、カバーの強度を確保できる。また、補強部材にはカバーの内面上端部に接触するとともに遮光する遮光部と、遮光部に連続して遮光部と反射板との間に折曲面部とが設けられており、反射板の側面が見えないように覆われるので、意匠性を改善することができるという効果を有する照明器具を提供できる。
【図面の簡単な説明】
【００１２】
【図１】本発明に係る実施形態の照明器具の分解斜視図
【図２】（Ａ）は本発明に係る実施形態の照明器具の断面図であり、（Ｂ）は（Ａ）中Ｂ部分の拡大図
【図３】補強部材とカバーとの取付部を示す分解斜視図
【図４】従来の照明器具の断面図
【発明を実施するための形態】
【００１３】
以下、本発明に係る実施形態の照明器具について、図面を用いて説明する。
図１に示すように、本発明に係る実施形態の照明器具１０は、例えば、被取付部である天井１１に取り付けられる器具本体２０と、光源であるＬＥＤチップ３２（図２（Ａ）参照）を有する発光部３０と、器具本体２０に取り付けられて電源部４１を収容するとともに、発光部３０からの光を反射する山型状の反射板４０と、器具本体２０に着脱可能に取り付けられ、発光部３０および反射板４０を覆う透光性のカバー５０と、を有する。
【００１４】
器具本体２０は，天井１１に取り付けられる平板状のベースプレート２１と、ベースプレート２１の長手方向両端に取り付けられる一対のエンドプレート２２を有する。ベースプレート２１は全体矩形状をしており、上方（図１において上方）へ突出する薄い円錐台形状の凸部２１１を複数個有する。これにより、器具本体２０を天井１１に取り付けた際に凸部２１１の上面が天井１１に接触し、ベースプレート２１が全面で接触するのを防止して、放熱効果を改善する。
【００１５】
エンドプレート２２は、上板２２１，縦板２２２，下板２２３から全体コ字状に形成されている。エンドプレート２２の上板２２１は、ねじ２５によりベースプレート２１の下面に取り付けられる。縦板２２２には、カバー５０を取り付けるためのねじ孔２３が設けられている。また、下板２２３には、反射板４０を取り付けるためのねじ孔２４が設けられている。
【００１６】
図２（Ａ）にも示すように、反射板４０は板金を折り曲げ加工して形成されており、上方が開口した下向きに山型な断面を有する。すなわち、上部に対向する縦壁４２，４２を有し、縦壁４２，４２の下端から下方へ向かって内側に傾斜した反射面となる傾斜面４３，４３を有し、さらに、傾斜面４３，４３の下端同士を連結する水平な平坦部４４を有する。平坦部４４の長手方向両端部にはねじ締結用の貫通孔４４１が設けられており、ねじ（図示省略）を貫通孔４４１に挿通し、器具本体２０のエンドプレート２２のねじ孔２４に締結することにより、反射板４０を器具本体２０に取り付ける。
なお、反射板４０に収容される電源部４１は、ＬＥＤチップ３２に点灯用の電力を供給するものである。
【００１７】
図２に示すように、反射板４０の平坦部４４の下面には、発光部３０が取り付けられる。発光部３０は、反射板４０の長手方向に長い実装基板３１を有し、実装基板３１には長手方向に沿って複数個のＬＥＤチップ３２が実装されている。実装基板３１は、その上面に設けられた放熱材３３を介してねじ３７により反射板４０の平坦部４４に下方から取り付けられる。この際に、放熱材３３の高さを変えることにより、ＬＥＤチップ３２の高さ位置が調整可能となっている。
【００１８】
実装基板３１および実装基板３１に実装されたＬＥＤチップ３２の前方（図２（Ａ）において下方）には、透明ケース３４が設けられている。透明ケース３４は、一定厚さの透明樹脂からなる略半円管形状の断面を有し、反射板４０の平坦部４４の長手方向に沿って長い部材である。透明ケース３４の内部には、ＬＥＤチップ３２および実装基板３１を含むように、樹脂材３５が充填されてレンズ３６を形成している。レンズ３６は、実装基板３１の後方位置（図２（Ａ）において上側）まで設けられている。また、レンズ３６は、反射板４０の平坦部４４の幅方向外側位置まで設けられている。
【００１９】
図１および図２に示すように、カバー５０は、透光性を有する樹脂により、対向する一対の側板５２，５２と、側板５２，５２の下端部を連結する底板５３とから、上方が開口した矩形箱状に形成されている。なお、長手方向両端に設けられている端板５４には、ねじ用の貫通孔５５が設けられている。
従って、カバー５０は、器具本体２０に外嵌して、ねじ５１を貫通孔５５に挿通し、器具本体２０のエンドプレート２２のねじ孔２３に締結することにより器具本体２０に固定される（図１参照）。
【００２０】
図２（Ｂ）に示すように、カバー５０の側板５２の上端部は、内側へ直角に曲がった上端面である平面部５６と、平面部５６の内側端から下方へ直角に曲がった内壁５７とを有し、逆Ｕ字形状の係止部５９を形成する。平面部５６の上側には、パッキン５８が取り付けられており、天井１１に取り付けられている器具本体２０にカバー５０を取り付けた際に、天井１１に当接する。
【００２１】
カバー５０の内側上部には、補強部材である補強板６０が取り付けられる。補強板６０は，例えばステンレスの薄板で形成されており、上端部は逆Ｕ字形状に折り返されてカバー５０の上端の係止部５９に挿嵌される保持部６１を有する。保持部６１の下方には、カバー５０の側板５２の内面に当接する遮光部６２を有し、遮光部６２の下端部は下方に向かって内側へ傾斜した折曲面部６３を有する。
従って、保持部６１をカバー５０の係止部５９の側板５２と内壁５７との間に嵌合することにより、補強板６０はカバー５０の内側に取り付けられる。
【００２２】
遮光部６２は、カバー５０の側板５２の内面上端部に接触して反射板４０の側面を遮光する。折曲面部６３は、反射板４０の傾斜面４３を外側へ一直線に延長した角度で傾斜しており、遮光部６２に連続して遮光部６２と反射板４０の傾斜面４３との間に設けられる。折曲面部６３の下面は、反射板４０の傾斜面４３と同様に、発光部３０からの光を反射させる。
なお、遮光部６２の高さは、折曲面部６３の上端位置から決定される。
【００２３】
図３に示すように、補強板６０の保持部６１の上端部には、上方へ突出する突起６４が設けられている。一方、保持部６１が挿嵌されるカバー５０の平面部５６には、突起６４が嵌合する嵌合孔５６１が設けられている。
カバー５０が樹脂製であり、補強板６０が金属製であるため、熱膨張、吸水による伸びを考慮して，両端部には隙間が設けられている。このため、補強板６０をカバー５０の内側に取り付ける際に、保持部６１をカバー５０の係止部５９に嵌合させるとともに、突起６４を嵌合孔５６１に挿嵌して位置決めする。
【００２４】
以上、説明した本発明に係る実施形態の照明器具１０によれば、ＬＥＤチップ３２を有する発光部３０および山型の反射板４０を覆う透光性のカバー５０が、器具本体２０に取り付けられるが、カバー５０の内部には補強板６０が取り付けられる。この補強板６０は、カバー５０を保持する保持部６１を有するので、カバー５０の強度を確保できる。
また、補強板６０には、カバー５０の内面上端部に接触するとともに遮光する遮光部６２と、遮光部６２に連続して遮光部６２と反射板４０との間に位置する折曲面部６３とが設けられており、反射板４０の側面が見えないように覆われるので、意匠性を改善することができる。
【００２５】
また、補強板６０の遮光部６２と反射板４０との間に設けられた折曲面部６３が、反射板の役目を果たすので、あたかも反射板が全幅にわたって設けられているような状態となり、反射効率を改善できる。
【００２６】
また、補強板６０の上端部に上方へ突出する突起６４を設け、カバー５０の上端部を逆Ｕ字形状に形成して係止部５９を設けるとともに、係止部５９の上端面に突起６４が嵌合する嵌合孔５６１を設けたので、補強板６０の突起６４をカバー５０の嵌合孔５６１に嵌合することにより、カバー５０の長手方向のずれを防止できる。
【００２７】
また、照明器具１０は、器具本体２０に取り付けられた発光部３０および反射板４０を有しており、発光部３０は光源であるＬＥＤチップ３２を有する。そして、ＬＥＤチップ３２およびこのＬＥＤチップ３２を実装する実装基板３１の前方に曲面を有する透明ケース３４を設け、この透明ケース３４の内部に樹脂材３５を充填してレンズ３６を形成するが、レンズ３６は実装基板３１の後方まで設けられているので、照明光のムラを防止できる。
【００２８】
さらに、山型の反射板４０の先端に平坦部４４を設け、この平坦部４４に発光部３０を取り付けるとともに、平坦部４４よりもレンズ３６が外側に突出するようにしたので、透明ケース３４によって後方へ導かれる光を山型反射板４０の傾斜面４３に照射する。これにより、横方向に照射される光のみならず、上方向に照射される光を反射することにより、反射効率を改善できる。
【００２９】
なお、本発明の照明器具は、前述した実施形態に限定されるものでなく、適宜な変形，改良等が可能である。
【符号の説明】
【００３０】
１０  照明器具
１１  天井（被取付部）
２０  器具本体
３０  発光部
３２  ＬＥＤチップ（光源）
４０  反射板
４１  電源部
４３  傾斜面（反射面）
５０  カバー
５６  平面部（上端面）
５６１  嵌合孔
５９  係止部
６０  補強板（補強部材）
６１  保持部
６２  遮光部
６３  折曲面部
６４  突起
【図１】
0005562183.tif 000002
【図２】
0005562183.tif 000003
【図３】
0005562183.tif 000004
【図４】
0005562183.tif 000005